(57)【要約】【課題】筆記部において筆記芯の視認が可能なシャープペンシルを提供する。【解決手段】シャープペンシル１が、筆記芯７と、軸筒５の前端部に配置された先端パイプ６と、を具備し、先端パイプ６が透明又は半透明に形成され、筆記芯７が先端パイプ６の外部から視認可能である。先端パイプ６が軸筒５に対して前後動可能に配置され、先端パイプ６を筆記面に当接させながら筆記することによって筆記芯７の摩耗に応じて先端パイプ６が後退するように構成されていてもよい。【選択図】図１２
2020203422.tif 000002
【特許請求の範囲】
【請求項１】
筆記芯と、軸筒の前端部に配置された先端パイプと、を具備し、
前記先端パイプが透明又は半透明に形成され、前記筆記芯が前記先端パイプの外部から視認可能であることを特徴とするシャープペンシル。
【請求項２】
前記先端パイプが軸筒に対して前後動可能に配置され、前記先端パイプを筆記面に当接させながら筆記することによって前記筆記芯の摩耗に応じて前記先端パイプが後退するように構成されている請求項１に記載のシャープペンシル。
【請求項３】
前記先端パイプを前方に付勢するコイルスプリングと、前記筆記芯を保持する保持チャックと、前記筆記芯の前進を許容し後退を阻止するボールチャックと、をさらに具備し、
前記筆記芯の摩耗に応じて前記先端パイプが後退した状態で筆記圧を解除すると、前記コイルスプリングの付勢力によって、前記先端パイプと前記保持チャックに保持された前記筆記芯とが前進する請求項２に記載のシャープペンシル。
【請求項４】
前記先端パイプの前端が円錐状に形成されている請求項１乃至３のいずれか一項に記載のシャープペンシル。
【請求項５】
前記筆記芯が黒色以外のカラー芯である請求項１乃至４のいずれか一項に記載のシャープペンシル。
【発明の詳細な説明】
【技術分野】
【０００１】
本発明は、シャープペンシルに関する。
【背景技術】
【０００２】
黒色以外の筆跡、例えば赤色や青色の筆跡が筆記可能なカラー芯を有するシャープペンシルが公知である（特許文献１）。また、先端パイプを筆記面に当接させながら筆記することによって筆記芯の摩耗に応じて先端パイプが後退することから、ノック操作をすることなく長時間の筆記が可能なシャープペンシルが公知である（特許文献２）。
【先行技術文献】
【特許文献】
【０００３】
【特許文献１】特開２０１６−４１４９２号公報
【特許文献２】特開平８−２３０３８２号公報
【発明の概要】
【発明が解決しようとする課題】
【０００４】
一般的に、筆記部の先端に配置された先端パイプは金属製であることが多く、先端パイプの内部が視認できない。したがって、特許文献１に記載されたシャープペンシルでは、筆記しようとしたときに先端パイプから突出する筆記芯の突出量は微小であるため、そのカラー芯が何色なのか、筆跡を見るまで分からない場合がある。また、筆記芯の色にかかわらず、これから筆記しようとしたときに、筆記芯が先端パイプの内部に配置されている状態なのか、すなわち数回のノック操作で筆記可能な状態なのか、使用者は判別することができない。
【０００５】
特に、特許文献２に記載されたシャープペンシルを効果的に使用するためには、通常のシャープペンシルと比較して筆記芯の突出量が少ないことが好ましいことから、筆記芯がさらに視認し難くなる。一方で、特許文献２に記載されたシャープペンシルにおいて筆記芯の突出量を多くすると、筆記芯の摩耗に応じた先端パイプの後退がなされず、当該シャープペンシルを効果的に使用できないのみならず、筆記芯が折れやすくなる虞がある。
【０００６】
本発明は、筆記部において筆記芯の視認が可能なシャープペンシルを提供することを目的とする。
【課題を解決するための手段】
【０００７】
本発明の一態様によれば、筆記芯と、軸筒の前端部に配置された先端パイプと、を具備し、前記先端パイプが透明又は半透明に形成され、前記筆記芯が前記先端パイプの外部から視認可能であることを特徴とするシャープペンシルが提供される。
【０００８】
前記先端パイプが軸筒に対して前後動可能に配置され、前記先端パイプを筆記面に当接させながら筆記することによって前記筆記芯の摩耗に応じて前記先端パイプが後退するように構成されていてもよい。前記先端パイプを前方に付勢するコイルスプリングと、前記筆記芯を保持する保持チャックと、前記筆記芯の前進を許容し後退を阻止するボールチャックと、をさらに具備し、前記筆記芯の摩耗に応じて前記先端パイプが後退した状態で筆記圧を解除すると、前記コイルスプリングの付勢力によって、前記先端パイプと前記保持チャックに保持された前記筆記芯とが前進するようにしてもよい。前記先端パイプの前端が円錐状に形成されていてもよい。前記筆記芯が黒色以外のカラー芯であってもよい。
【発明の効果】
【０００９】
本発明の態様によれば、筆記部において筆記芯の視認が可能なシャープペンシルを提供するという共通の効果を奏する。
【図面の簡単な説明】
【００１０】
【図１】図１は、本発明の実施形態によるシャープペンシルの斜視図である。
【図２】図２は、シャープペンシルの縦断面図である。
【図３】図３は、シャープペンシルの前半分の拡大断面図である。
【図４】図４は、ボールチャックホルダの斜視図である。
【図５】図５は、ノック筒の斜視図である。
【図６】図６は、シャープペンシルの前半分の別の拡大断面図である。
【図７】図７は、シャープペンシルの前半分のさらに別の拡大断面図である。
【図８】図８は、シャープペンシルの前半分のさらに別の拡大断面図である。
【図９】図９は、シャープペンシルの前半分のさらに別の拡大断面図である。
【図１０】図１０は、シャープペンシルの前半分のさらに別の拡大断面図である。
【図１１】図１１は、本発明の別の実施形態によるシャープペンシルの前半分の拡大断面図である。
【図１２】図１２は、シャープペンシルの前端部の拡大斜視図である。
【発明を実施するための形態】
【００１１】
以下、図面を参照しながら本発明の実施の形態を詳細に説明する。全図面に渡り、対応する構成要素には共通の参照符号を付す。
【００１２】
図１は、本発明の実施形態によるシャープペンシル１の斜視図であり、図２は、シャープペンシル１の縦断面図であり、図３は、シャープペンシルの前半分の拡大断面図である。
【００１３】
シャープペンシル１は、前軸２と、前軸２の後端部の外周面に螺合する後軸３と、前軸２の前端部の外周面に螺合する口先部材４とを有している。前軸２及び後軸３は、軸筒５を構成する。なお、口先部材４を含めて軸筒５と称してもよい。軸筒５の前端部、すなわち口先部材４の内部には、軸筒５に対して前後動可能に先端パイプ６が配置されている。言い換えると、先端パイプ６は、シャープペンシル１において筆記部の先端に配置されている。先端パイプ６は、筆記芯７が挿通するように構成されている。本明細書では、シャープペンシル１の軸線方向において、筆記芯７側を「前」側と規定し、筆記芯７側とは反対側を「後」側と規定する。
【００１４】
先端パイプ６の内部には、中央に通孔が形成された保持チャック８が配置されている。保持チャック８の通孔は、筆記芯７の外周面に摺接し、筆記芯７を一時的に保持するように作用する。先端パイプ６は、コイルスプリング９によって前方に付勢されている。
【００１５】
シャープペンシル１は、筆記芯７を把持するボールチャック１０を有している。図３を参照すると、ボールチャック１０は、円筒状に形成された締め具１１と、締め具１１内に配置されたチャック本体部１２と、円筒状に形成されたチャック保持部１３と、複数のボール１４とを有している。締め具１１の内周面には、前方に向かって広がるテーパ面が形成されている。チャック本体部１２は、中心軸線に沿って筆記芯７の通孔が形成され、チャック本体部１２の前端部は、軸線方向に沿って複数に分割されている。チャック本体部１２の後端部は、チャック保持部１３によって保持されている。チャック本体部１２及びチャック保持部１３は、締め具１１に対して軸線方向に移動可能である。複数のボール１４は、締め具１１の内周面とチャック本体部１２の外周面との間に配置されている。
【００１６】
筆記芯７に筆記圧が加わった場合には、チャック本体部１２がボール１４と共に円筒状の締め具１１内のテーパ面に当接するため、筆記芯７はチャック本体部１２によって把持される。これにより、筆記芯７の後退は阻止される。他方、筆記芯７を前方に引き出す力が働いた場合には、チャック本体部１２が締め具１１による作用を受けないため、筆記芯７を抵抗なく前方に引き出すことができる。すなわち、ボールチャック１０は、筆記芯７の前進を許容し後退を阻止するように作用する。
【００１７】
チャック本体部１２を包囲するようにコイルスプリング１５が配置されている。コイルスプリング１５の後端は、チャック本体部１２の外面に嵌合しており、コイルスプリング１５の前端は、締め具１１の内周面に形成された段部によって支持されている。コイルスプリング１５は、チャック本体部１２を後方に付勢し、その結果、ボールチャック１０は、筆記芯７を把持した状態を維持することができる。また、チャック保持部１３は、コイルスプリング１６によって後方に付勢されている。
【００１８】
口先部材４の内部には、口先部材４内において前後動可能な芯保護部材１７と、芯保護部材１７の後方において口先部材４に対して固定して取り付けられた固定リング１８とが配置されている。芯保護部材１７の後部は締め具１１の前端部を包囲し、芯保護部材１７の前部は筆記芯７を包囲するように形成されている。上述した先端パイプ６を前方に付勢するコイルスプリング９は、芯保護部材１７の前面に当接することによって、芯保護部材１７を後方へ付勢している。芯保護部材１７の後退は、固定リング１８の前端面との当接によって規制される。
【００１９】
締め具１１の後端部は、円筒状に形成されたボールチャックホルダ２０の前端部に連結している。すなわち、締め具１１の後端部の外周面は、ボールチャックホルダ２０の前端部の内周面に嵌合している。ボールチャックホルダ２０を包囲するように、円筒状に形成されたノック筒２１が配置されている。ここで、図４及び図５を参照しながらボールチャックホルダ２０及びノック筒２１について説明する。
【００２０】
図４は、ボールチャックホルダ２０の斜視図である。図４において、上方がシャープペンシル１の後側となるように配置される。円筒状に形成されたボールチャックホルダ２０は、大径に形成された第１大径部２０１と、第１大径部２０１の前方において、第１大径部２０１よりも小径に形成された第１小径部２０２とを有している。第１大径部２０１の外周面には、軸線方向に離間した２つの環状突起２０３が形成されている。ボールチャックホルダ２０の後端面から前方に向かって第１大径部２０１の軸線方向に亘り、対向する２つのスリット２０４が形成され、第１大径部２０１を２つに分割している。分割された第１大径部２０１の各々において、２つの環状突起２０３間には、矩形の貫通孔２０５が形成されている。第１小径部２０２の内面には、後方に面した段部２０６が設けられている（図３）。
【００２１】
図５は、ノック筒２１の斜視図である。図５において、上方がシャープペンシル１の後側となるように配置される。円筒状に形成されたノック筒２１は、大径に形成された第２大径部２１１と、第２大径部２１１の前方において、第２大径部２１１よりも小径に形成された第２小径部２１２とを有している。
【００２２】
再び図３を参照すると、ボールチャックホルダ２０は、ノック筒２１内において前後動可能に配置されている。ボールチャックホルダ２０の前進は、第１大径部２０１の前端面２０７が、ノック筒２１の内面に設けられ且つ後方に面した係合面２１３と係合することによって規制される。ボールチャックホルダ２０の後退は、ボールチャックホルダ２０の後端面２０８が、軸筒５内に設けられた当接面、具体的には、前軸２内に設けられた当接面２ａと当接することによって規制される。
【００２３】
ノック筒２１は、コイルスプリング２２によって後方に付勢されている。すなわち、コイルスプリング２２の前端は口先部材４の後端面４ａによって支持され、コイルスプリング２２の後端はノック筒２１の第２大径部２１１の前端面２１４に当接している。ノック筒２１は、前軸２内において前後動可能に配置されている。ノック筒２１の前進は、ノック筒２１の前端面２１５が口先部材４の後端面４ａに当接することによって規制される。ノック筒２１の後退は、ノック筒２１の後端面２１６が前軸２の当接面２ａと当接することによって規制される。
【００２４】
チャック保持部１３の外面には係止突起１３１が設けられている。係止突起１３１は、ボールチャックホルダ２０の貫通孔２０５内に突出している。コイルスプリング１６の前端がボールチャックホルダ２０の段部２０６に支持されることによって、チャック保持部１３が後方に付勢され、係止突起１３１が貫通孔２０５の端面と係止している。その結果、チャック保持部１３、すなわちボールチャック１０とボールチャックホルダ２０とは、常に一体となって前後動する。言い換えると、ボールチャック１０は、ボールチャックホルダ２０によって保持される。チャック保持部１３の後端部の外周面には、芯ケース２３の前端部が緩く嵌合している。したがって、チャック保持部１３及び芯ケース２３は相対的に軸線方向に沿って移動可能である。芯ケース２３は、円筒状に形成され、内部には筆記芯７が収容される。
【００２５】
再び図２を参照すると、軸筒５の後端部、具体的には後軸３の後部には、ノック部材としてのノック棒２４が軸筒５に対して前後動可能に設けられている。ノック棒２４は、コイルスプリング２５によって後方に付勢されている。ノック棒２４の後端部の内部には、消しゴム２６が着脱可能に装着されている。ノック棒２４の後端部の外周面には、ノックカバー２７が着脱可能に取り付けられ、消しゴム２６を汚れ等から保護している。ノック棒２４は、芯ケース２３の後端部の外周面に嵌合している。
【００２６】
次に、シャープペンシル１の前半分の拡大断面図である図６乃至図１０を順次参照しながら、シャープペンシル１の動作について説明する。
【００２７】
図６は、図３に示されたシャープペンシル１の状態から、ノック操作を行っている途中の状態を示している。ノック操作は、ノック部であるノック棒２４又はノックカバー２７を前方へ押圧することによって行われる。ノック操作によって芯ケース２３が前進し、芯ケース２３の前端面がチャック保持部１３に当接することによって、ボールチャック１０が前進する。ボールチャック１０の前進に伴い、締め具１１の前端との当接によって芯保護部材１７が前進すると共に、コイルスプリング１６の前端との当接によってボールチャックホルダ２０が前進する。ボールチャックホルダ２０が前進すると、ボールチャックホルダ２０の前端面２０７との係合によってノック筒２１が前進する。
【００２８】
ノック筒２１の前進は口先部材４によって規制され、ボールチャックホルダ２０の前進は、規制された状態のノック筒２１の係合面２１３によって規制される。言い換えると、ノック筒２１によって、ボールチャック１０及びボールチャックホルダ２０の前進が規制される。ボールチャックホルダ２０及びノック筒２１の前進が規制された状態で、コイルスプリング１５及びコイルスプリング１６の付勢力に抗してさらにノック部の押圧を続けると、ボールチャック１０がさらに前進し、筆記芯７が繰り出される。すなわち、さらなる押圧によって、チャック保持部１３が、規制された状態のボールチャックホルダ２０に対して前方に押し出される。これに伴い、チャック本体部１２に把持された筆記芯７も前進し、筆記芯７を先端パイプ６から繰り出すように作用する。
【００２９】
図７は、図６に示されたシャープペンシル１のノック操作が完了した状態を示している。すなわち、ノック棒２４又はノックカバー２７の前方への押圧を解除すると、コイルスプリング２５の付勢力によって、ノック棒２４は、後退して元の位置に復帰する。このとき、チャック本体部１２は、コイルスプリング１５及びコイルスプリング１６の付勢力によって後退する。他方、筆記芯７は、保持チャック８によって保持されるため、ボールチャック１０の作用として、筆記芯７はチャック本体部１２から抵抗なく引き出される。その結果、筆記芯７は、先端パイプ６から繰り出されることから、ノック操作を繰り返すごとに、筆記芯７を所定量ずつ繰り出すことができる。
【００３０】
なお、ノック操作によってノック棒２４を前進させた状態を維持すると、チャック本体部１２は締め具１１から突出して筆記芯７の把持は解除された状態となる。この状態では、先端パイプ６から繰り出された状態の筆記芯７を指先等で押し戻すことができる。
【００３１】
ノック操作が完了した状態では、コイルスプリング９の付勢力によって、芯保護部材１７は、固定リング１８に当接するまで後退する。また、コイルスプリング２２の付勢力によって、ノック筒２１は、前軸２の当接面２ａに当接するまで後退する。このとき、ボールチャックホルダ２０は、ノック筒２１の係合面２１３との係合によって、ノック筒２１と共に後退する。
【００３２】
図８は、図７に示されたシャープペンシル１の状態で筆記を開始し、筆記芯７に筆記圧が加わった直後の状態を示している。ノック操作後の筆記によって筆記芯７に筆記圧が加わると、ボールチャック１０は、筆記芯７及びボールチャックホルダ２０と共に後退する。ボールチャック１０の後退は、ボールチャックホルダ２０が前軸２の当接面２ａと当接することによって規制される。筆記芯７が後退することによって、相対的に、筆記芯７の先端パイプ６からの突出量は減少する。そのため、先端パイプ６の前端部は筆記面に当接し、先端パイプ６は、コイルスプリング９の付勢力に抗して後退する（図９）。
【００３３】
図１０は、筆記が完了して筆記圧が解除された状態を示している。筆記圧が解除されると、コイルスプリング９の付勢力によって、先端パイプ６が前進する。このとき、筆記芯７は保持チャック８によって保持されるため、筆記芯７がボールチャック１０から引き出される。
【００３４】
図１０に示された状態のシャープペンシル１によれば、先端パイプ６を筆記面に当接させながら筆記することによって、筆記芯７の摩耗に応じて先端パイプ６が後退するため、ノック操作をすることなく、長時間筆記をすることができる。さらに、筆記芯７の摩耗に応じて先端パイプ６が後退した状態で筆記圧を解除すると、コイルスプリング９の付勢力によって、先端パイプ６と保持チャック８に保持された筆記芯７とが前進し、筆記芯７が繰り出される。したがって、ノック操作をすることなく、さらに長時間筆記をすることができる。再びノック操作を行うと、再び図６に示されたシャープペンシル１の状態となり、以後、これを繰り返す。
【００３５】
ボールチャックホルダ２０において、環状突起２０３がノック筒２１の内面と当接することによって、ノック筒２１の内面との間に静止摩擦力が生じる。環状突起２０３による静止摩擦力は、ボールチャック１０から筆記芯７を引き出すのに必要な力よりも大きく、標準的な筆記圧又は比較的弱い筆記圧によってボールチャックホルダ２０に作用する力よりも小さいことが好ましい。静止摩擦力がボールチャック１０から筆記芯７を引き出すのに必要な力よりも小さいと、筆記圧が解除されたときに、筆記芯７のみならずボールチャック１０も前進してしまう。また、静止摩擦力が大きすぎると、ボールチャック１０又はボールチャックホルダ２０を後退させることができない。なお、ボールチャックホルダ２０の環状突起２０３に代えて、ノック筒２１の内面側に環状突起を設けてもよい。
【００３６】
なお、ボールチャック１０又はボールチャックホルダ２０は、前方に付勢されていないことから、ノック操作によってのみ前進する。また、ボールチャック１０又はボールチャックホルダ２０は、完全には後方に付勢されていないことから、筆記圧によってのみ後退限位置まで後退する。
【００３７】
ボールチャックホルダ２０及びノック筒２１は、ノック操作をし過ぎたことによって突出させ過ぎた筆記芯７をボールチャック１０と共に後退させる、ボールチャック後退機構を構成する。ボールチャック後退機構は、上述したように、ノック操作後の筆記による筆記圧によって作動する。
【００３８】
ボールチャック後退機構は、ボールチャックホルダ２０及びノック筒２１の前後動の移動可能量を規定することによって、筆記芯７及びボールチャック１０の後退量を規定することができる。図６では、ボールチャックホルダ２０及びノック筒２１は前進限位置にあり、図１０では、ボールチャックホルダ２０及びノック筒２１は後退限位置にある。したがって、図６に示されるように、ボールチャックホルダ２０は距離Ｌ１だけ移動可能であり、ノック筒２１は距離Ｌ２だけ移動可能である。図７に示されるように、ノック操作後において、ノック筒２１はすでに後退限位置にある。したがって、ボールチャックホルダ２０、すなわちボールチャック１０は、距離Ｌ１−Ｌ２だけ後退する余地があることになる。したがって、距離Ｌ１−Ｌ２が適切な値となるようにボールチャックホルダ２０及びノック筒２１の前後動の移動可能量を規定することによって、ボールチャック１０、ひいては筆記芯７の後退量を所定の値に設定することができる。
【００３９】
シャープペンシル１がボールチャック後退機構を有することによって、シャープペンシル１にとって適切な筆記芯７の突出量となるように自動的に調整される。すなわち、ボールチャック後退機構によれば、先端パイプ６を筆記面に当接させながら筆記することによって筆記芯７の摩耗に応じて先端パイプ６が後退するように構成されたシャープペンシルを効果的に使用できる適切な筆記芯７の突出量にすることができる。また、突出させ過ぎた筆記芯７の折れを防止することができる。なお、先端パイプが後退しないシャープペンシルに対して、ボールチャック後退機構を適用してもよい。また、ボールチャック後退機構は、ノック操作後の筆記による筆記圧によって、筆記芯と共にボールチャック１０を後退させることができる限りにおいて、任意に構成してもよい。
【００４０】
図１１は、本発明の別の実施形態によるシャープペンシル１００の前半分の拡大断面図である。本実施形態によるシャープペンシル１００は、上述した実施形態によるシャープペンシル１と比較して、ボールチャックホルダ２０とノック筒２１とが一体的に構成されている点においてのみ異なる。言い換えると、シャープペンシル１００は、ノック筒が一体的に形成されたボールチャックホルダ３０を有している。ボールチャックホルダ３０は、ノック操作をし過ぎたことによって突出し過ぎた筆記芯７をボールチャック１０と共に後退させる、ボールチャック後退機構を構成する。
【００４１】
ボールチャックホルダ３０は、ボールチャック１０と同様に構成されている。すなわち、円筒状に形成されたボールチャックホルダ３０は、大径に形成された第１大径部３０１と、第１大径部３０１の前方において、第１大径部３０１よりも小径に形成された第１小径部３０２とを有している。第１大径部３０１の外周面には、軸線方向に離間した２つの環状突起３０３が形成されている。ボールチャックホルダ３０の後端面から前方に向かって第１大径部３０１の軸線方向に亘り、対向する２つのスリット（図示せず）が形成され、第１大径部３０１を２つに分割している。分割された第１大径部３０１の各々において、２つの環状突起３０３間には、矩形の貫通孔３０５が形成されている。第１小径部３０２の内面には、後方に面した段部３０６が設けられている。
【００４２】
シャープペンシル１００の動作は、上述したシャープペンシル１の動作と略同様であるため簡単に説明する。すなわち、ノック操作によって、ボールチャック１０及びボールチャックホルダ３０が前進する。ボールチャックホルダ３０の前進は、コイルスプリング２２が完全に圧縮することによって、規制される。なお、ボールチャックホルダ３０の前進が、ボールチャックホルダ３０の前端面が、固定リング１８の後端面に当接することによって規制されるようにしてもよい。
【００４３】
ノック操作が完了した状態では、コイルスプリング２２の付勢力によって、ボールチャックホルダ３０は僅かばかり後退する。このとき、ボールチャックホルダ３０の後退は、環状突起３０３と軸筒５の内面との間の摩擦力によって停止する。この状態で筆記を開始することによって、すなわち、ノック操作後の筆記によって、筆記芯７に筆記圧が加わると、ボールチャック１０は、筆記芯７及びボールチャックホルダ３０と共に後退する。ボールチャック１０の後退は、ボールチャックホルダ３０が前軸２の当接面２ａと当接することによって規制される。
【００４４】
シャープペンシル１００によれば、上述した実施形態によるシャープペンシル１と比較して、少ない部品点数で同様のボールチャック後退機構を実現することができる。
【００４５】
図１２は、シャープペンシル１の前端部の拡大斜視図である。シャープペンシル１では、先端パイプ６は、ポリカーボネート等の硬質プラスチック製の部材であり、透明又は半透明に形成されている。そのため、先端パイプ６の外部から、特に筆記部において、筆記芯７が視認可能となっている。
【００４６】
その結果、特に、筆記芯７が黒色以外のカラー芯である場合において、カラー芯が何色なのか、筆跡を見ることなく判別することができる。また、筆記芯７の色にかかわらず、これから筆記しようとしたときに、筆記芯７が先端パイプ６の内部に配置されている状態なのか、すなわち数回のノック操作で筆記可能な状態なのか、判別することができる。筆記芯７の突出量が良く視認できることから、突出量を多くし過ぎて筆記芯７が折れるようなことはない。
【００４７】
さらに、先端パイプ６の前端は、円錐状に形成されている。そのため、一般的な金属製の筒状の先端パイプに比べて、先端が削られた鉛筆のような前端部となり、より柔らかな外観の印象を与える効果を奏する。
【００４８】
なお、上述したシャープペンシル１は、先端パイプ６を前方に付勢するコイルスプリング９を有していたが、本発明は、コイルスプリング９を有さずに、単に先端パイプが軸筒に対して前後動可能に配置されたシャープペンシル、いわゆるスライドパイプ式のシャープペンシルに対しても適用することができる。また、上述したコイルスプリングの各々は、その他の弾性部材で代替してもよい。
【符号の説明】
【００４９】
１    シャープペンシル
２    前軸
３    後軸
【図１】
2020203422.tif 000003
【図２】
2020203422.tif 000004
【図３】
2020203422.tif 000005
【図４】
2020203422.tif 000006
【図５】
2020203422.tif 000007
【図６】
2020203422.tif 000008
【図７】
2020203422.tif 000009
【図８】
2020203422.tif 000010
【図９】
2020203422.tif 000011
【図１０】
2020203422.tif 000012
【図１１】
2020203422.tif 000013
【図１２】
2020203422.tif 000014